【手続補正書】
【提出日】平成25年5月28日(2013.5.28)
【手続補正１】
【補正対象書類名】特許請求の範囲
【補正対象項目名】全文
【補正方法】変更
【補正の内容】
【特許請求の範囲】
【請求項１】
第１の画像データに対して中間調処理を行い、当該中間調処理が施された第２の画像データを生成する中間調処理手段と、
前記第１の画像データにおける参照領域内の第１の画素値と第２の画素値との差に応じて、当該参照領域内の画素についてエッジ補正処理を行うか否かを判定する判定手段と、
前記第１の画像データに基づいて、前記エッジ補正処理のためのエッジ補正データを生成する生成手段と、
前記判定手段によって前記エッジ補正処理を行うと判定された画素について、前記第２の画像データの画素値と前記エッジ補正データの画素値とのうち、値が大きい画素値を出力することによって、前記第２の画像データのエッジ部に対してエッジ補正処理を行うエッジ補正手段と、
を有することを特徴とする画像処理装置。
【請求項２】
前記第１の画像データにおける前記参照領域内において、画素値の最大値と最小値とを検出し、当該検出した最大値と最小値との差分値を所定の閾値と比較する比較手段を更に有し、
前記判定手段は、前記比較手段による比較結果に基づいて、前記エッジ補正処理を行うか否かを判定することを特徴とする請求項１に記載の画像処理装置。
【請求項３】
前記判定手段は、前記差分値が前記所定の閾値よりも大きい場合に、前記エッジ補正処理を行うと判定することを特徴とする請求項２に記載の画像処理装置。
【請求項４】
前記判定手段は、前記差分値が前記所定の閾値以下である場合に、前記エッジ補正処理を行わないと判定することを特徴とする請求項２に記載の画像処理装置。
【請求項５】
前記第１の画像データは、複数の色の画像信号で構成され、
前記判定手段は、前記複数の色の画像信号が所定の割合で合成された画像信号に基づいて、前記エッジ補正処理を行うか否かを判定することを特徴とする請求項１に記載の画像処理装置。
【請求項６】
前記第１の画像データは、シアン、マゼンタ、イエロー、ブラックの４つの画像信号で構成されることを特徴とする請求項５に記載の画像処理装置。
【請求項７】
第１の画像データを構成する複数の画像信号が合成された画像信号に基づいて、スムージング処理を行うか否かを判定する判定手段と、
前記第１の画像データに基づいて、エッジ補正データを生成する生成手段と、
前記判定手段による判定結果と前記第１の画像データに含まれる画素の属性を示す属性データとに基づいて、前記第１の画像データを中間調処理した第２の画像データに対して、前記生成手段によって生成されたエッジ補正データを用いてスムージング処理を行うスムージング処理手段と、
を有することを特徴とする画像処理装置。
【請求項８】
第１の画像データを構成する複数の画像信号が合成された画像信号に基づいて、スムージング処理を行うか否かを示す判定信号を出力する判定手段と、
前記第１の画像データに基づいて、エッジ補正データを生成する生成手段と、
前記第１の画像データに含まれる画素の属性を示す属性データに基づいて前記判定信号を補正し、該補正された判定信号に基づいて、前記第１の画像データを中間調処理した第２の画像データに対して、前記生成手段によって生成されたエッジ補正データを用いてスムージング処理を行うスムージング処理手段と、
を有することを特徴とする画像処理装置。
【請求項９】
前記第１の画像データは、シアン、マゼンタ、イエロー、ブラックの４つの画像信号で構成されることを特徴とする請求項７または８に記載の画像処理装置。
【請求項１０】
第１の画像データに対して中間調処理を行い、当該中間調処理が施された第２の画像データを生成する中間調処理工程と、
前記第１の画像データにおける参照領域内の第１の画素値と第２の画素値との差に応じて、当該参照領域内の画素についてエッジ補正処理を行うか否かを判定する判定工程と、
前記第１の画像データに基づいて、前記エッジ補正スムージング処理のためのエッジ補正データを生成する生成工程と、
前記判定工程で前記エッジ補正処理を行うと判定された画素について、前記第２の画像データの画素値と前記エッジ補正データの画素値とのうち、値が大きい画素値を出力することによって、前記第２の画像データのエッジ部に対してエッジ補正処理を行う補正工程と、
を有することを特徴とする画像処理方法。
【請求項１１】
第１の画像データを構成する複数の画像信号が合成された画像信号に基づいて、スムージング処理を行うか否かを判定する判定工程と、
前記第１の画像データに基づいて、エッジ補正データを生成する生成工程と、
前記判定工程における判定結果と前記第１の画像データに含まれる画素の属性を示す属性データとに基づいて、前記第１の画像データを中間調処理した第２の画像データに対して、前記生成工程で生成されたエッジ補正データを用いてスムージング処理を行うスムージング処理工程と、
を有することを特徴とする画像処理方法。
【請求項１２】
第１の画像データを構成する複数の画像信号が合成された画像信号に基づいて、スムージング処理を行うか否かを示す判定信号を出力する判定工程と、
前記第１の画像データに基づいて、エッジ補正データを生成する生成工程と、
前記第１の画像データに含まれる画素の属性を示す属性データに基づいて前記判定信号を補正し、該補正された判定信号に基づいて、前記第１の画像データを中間調処理した第２の画像データに対して、前記生成工程で生成されたエッジ補正データを用いてスムージング処理を行うスムージング処理工程と、
を有することを特徴とする画像処理方法。
【請求項１３】
請求項１乃至９のいずれか一項に記載の画像処理装置の各手段としてコンピュータを機能させるためのプログラム。
【手続補正２】
【補正対象書類名】明細書
【補正対象項目名】０００８
【補正方法】変更
【補正の内容】
【０００８】
上述した課題を解決するために、本発明の画像処理装置は、第１の画像データに対して中間調処理を行い、当該中間調処理が施された第２の画像データを生成する中間調処理手段と、前記第１の画像データにおける参照領域内の第１の画素値と第２の画素値との差に応じて、当該参照領域内の画素についてエッジ補正処理を行うか否かを判定する判定手段と、前記第１の画像データに基づいて、前記エッジ補正処理のためのエッジ補正データを生成する生成手段と、前記判定手段によって前記エッジ補正処理を行うと判定された画素について、前記第２の画像データの画素値と前記エッジ補正データの画素値とのうち、値が大きい画素値を出力することによって、前記第２の画像データのエッジ部に対してエッジ補正処理を行うエッジ補正手段と、を有することを特徴とする。
また、本発明の他の一態様に係る画像処理装置は、第１の画像データを構成する複数の画像信号が合成された画像信号に基づいて、スムージング処理を行うか否かを判定する判定手段と、前記第１の画像データに基づいて、エッジ補正データを生成する生成手段と、前記判定手段による判定結果と前記第１の画像データに含まれる画素の属性を示す属性データとに基づいて、前記第１の画像データを中間調処理した第２の画像データに対して、前記生成手段によって生成されたエッジ補正データを用いてスムージング処理を行うスムージング処理手段と、を有することを特徴とする。
また、本発明の他の一態様に係る画像処理装置は、第１の画像データを構成する複数の画像信号が合成された画像信号に基づいて、スムージング処理を行うか否かを示す判定信号を出力する判定手段と、前記第１の画像データに基づいて、エッジ補正データを生成する生成手段と、前記第１の画像データに含まれる画素の属性を示す属性データに基づいて前記判定信号を補正し、該補正された判定信号に基づいて、前記第１の画像データを中間調処理した第２の画像データに対して、前記生成手段によって生成されたエッジ補正データを用いてスムージング処理を行うスムージング処理手段と、を有することを特徴とする。